(57)【要約】  【課題】これまで紙媒体であるレセプト記入用紙を利用してきた者であっても、画面上に表示されたレセプト記入用紙に診療報酬を容易に記入することができるレセプト記入装置の提供  【解決手段】レセプト記入装置は、ハードディスクからレセプト表示データを取得し、ディスプレイ上にレセプト記入用紙の画像を表示する。レセプト記入装置は、ディスプレイ上に表示したレセプト記入用紙上のある領域がマウス等によって選択されたと判断すると、当該領域に入力可能な診療報酬を表示するための診療報酬入力処理を行う。レセプト記入装置は、選択された領域への入力が終了したと判断すると、ディスプレイ上に表示したレセプト記入用紙に、入力された診療報酬を表示する。  これにより、画面上に表示されたレセプト記入用紙に診療報酬を容易に記入することができる。【選択図】    図１１
2005242473.tif 000002
【特許請求の範囲】
【請求項１】
レセプト記入用紙のイメージを表示装置に表示するためのデータであるレセプト記入用紙情報を記憶するレセプト記入用紙情報記憶手段、
前記レセプト記入用紙情報記憶手段よりレセプト記入用紙情報を取得し、取得したレセプト記入用紙情報に基づき、表示装置上にレセプト記入用紙のイメージを表示する表示手段、
前記表示装置上の所望の領域を選択するための選択装置によって、前記表示装置上に表示されたレセプト記入用紙のある領域が選択領域として選択されたと判断すると、当該選択領域に診療情報を入力するための診療情報入力領域を前記表示装置上に表示する診療情報入力領域表示手段、
を備えたレセプト記入装置。
【請求項２】
請求項１に係るレセプト記入装置において、さらに、
表示装置上の領域と、診療情報入力領域を表示するためのデータとを対応付けた領域対応情報を記憶する領域対応情報記憶手段、
を備え、
前記診療情報入力領域表示手段は、
領域対応情報記憶手段に記憶された領域対応情報に基づいて、選択領域に対応する診療情報入力領域を表示すること、
を特徴とするレセプト記入装置。
【請求項３】
請求項２に係るレセプト記入装置において、
前記領域対応情報記憶手段は、
レセプト記入用紙の各記入項目のそれぞれを１つの領域として、各記入項目のための診療情報入力領域を表示するためのデータを各記入項目に対応付けて記録しており、
前記診療情報入力領域表示手段は、
レセプト記入用紙の各記入項目毎に、各記入項目のための診療情報入力領域を表示すること、
を特徴とするレセプト記入装置。
【請求項４】
請求項２に係るレセプト記入装置において、
前記領域対応情報記憶手段は、
レセプト記入用紙の複数の記入項目をグループ化し、当該グループに対応付けて１つの診療情報入力領域を表示するためのデータを記録しており、
前記診療情報入力領域表示手段は、
レセプト記入用紙の記入項目のグループ毎に、当該グループに含まれる記入項目に関する診療情報を入力するための診療情報入力領域を表示すること、
を特徴とするレセプト記入装置。
【請求項５】
請求項４に係るレセプト記入装置において、
前記領域対応情報記憶手段は、さらに、
前記記入項目と前記診療情報とを対応付ける項目対応情報を記録しており、
前記表示手段は、
前記診療情報の入力があると、前記項目対応情報に基づいて、前記表示装置に表示されたレセプト記入用紙のイメージ上に、入力があった診療情報に対応する記入項目に、当該診療情報を表示すること、
を特徴とするレセプト記入装置。
【請求項６】
請求項１〜５に係るレセプト記入装置において、
前記診療情報入力領域表示手段は、
前記選択領域に入力可能な診療情報を一覧として前記診療情報入力領域に表示すること、
を特徴とするレセプト記入装置。
【請求項７】
請求項６に係るレセプト記入装置において、
前記診療情報入力領域表示手段は、
前記診療情報入力領域に表示した診療情報から一又は複数の診療情報に対して入力装置による入力があったと判断すると、入力があった診療情報に関連する診療情報を入力するための関連診療情報入力領域を前記表示装置上に表示すること、
を特徴とするレセプト記入装置。
【請求項８】
請求項１〜７に係るレセプト記入装置において、
前記表示手段は、
前記診療情報入力領域に入力された診療情報を、前記レセプト記入用紙の対応する記入項目に表示すること、
を特徴とするレセプト記入装置。
【請求項９】
請求項１〜８に係るレセプト記入装置において、
前記表示手段は、
前記表示装置上に、前記レセプト記入用紙の全体のイメージを表示すること、
を特徴とするレセプト記入装置。
【請求項１０】
請求項１〜９に係るレセプト記入装置において、
前記診療情報入力領域は、
前記レセプト記入用紙における前記選択領域のイメージを拡大したものであること、
を特徴とするレセプト記入装置。
【請求項１１】
表示装置に表示されたレセプト記入用紙に診療情報を入力するためレセプト記入プログラムであって、
前記レセプト記入プログラムは、
レセプト記入用紙のイメージを表示装置に表示するためのデータであるレセプト記入用紙情報を記憶するレセプト記入用紙情報記憶手段を有するコンピュータに対して、
前記レセプト記入用紙情報記憶手段よりレセプト記入用紙情報を取得させるステップ、  取得したレセプト記入用紙情報に基づき、表示装置上にレセプト記入用紙のイメージを表示させるステップ、
前記表示装置上の所望の領域を選択するための選択装置によって、前記表示装置上に表示されたレセプト記入用紙のある領域が選択領域として選択されたと判断すると、当該選択領域に診療情報を入力するための診療報酬入力領域を前記表示装置上に表示させるステップ、
を実行させるレセプト記入プログラム。
【請求項１２】
請求項１１に係るレセプト記入プログラムにおいて、さらに、
表示装置上の領域と、診療情報入力領域を表示するためのデータとを対応付けた領域対応情報を記憶する領域対応情報記憶手段を有するコンピュータに対して、
領域対応情報記憶手段に記憶された領域対応情報に基づいて、選択領域に対応する診療情報入力領域を表示させるステップ、
を実行させるレセプト記入プログラム。
【請求項１３】
請求項１２に係るレセプト記入プログラムにおいて、
前記領域対応情報記憶手段は、レセプト記入用紙の各記入項目のそれぞれを１つの領域として、各記入項目のための診療情報入力領域を表示するためのデータを各記入項目に対応付けて記録しているコンピュータに対して、
レセプト記入用紙の各記入項目毎に、各記入項目のための診療情報入力領域を表示させるステップ、
を実行させるレセプト記入プログラム。
【請求項１４】
請求項１２に係るレセプト記入プログラムにおいて、
前記領域対応情報記憶手段は、レセプト記入用紙の複数の記入項目をグループ化し、当該グループに対応付けて１つの診療情報入力領域を表示するためのデータを記録しているコンピュータに対して、
レセプト記入用紙の記入項目のグループ毎に、当該グループに含まれる記入項目のための診療情報入力領域を表示させるステップ、
を実行させるレセプト記入プログラム。
【請求項１５】
請求項１４に係るレセプト記入プログラムにおいて、
前記領域対応情報記憶手段は、さらに、前記記入項目と前記診療情報とを対応付ける項目対応情報を記録しているコンピュータに対して、
前記診療情報の入力があると、前記項目対応情報に基づいて、前記表示装置に表示されたレセプト記入用紙のイメージ上に、入力があった診療情報に対応する記入項目に、当該診療情報を表示させるステップ、
を実行させるレセプト記入プログラム。
【請求項１６】
請求項１１〜１５に係るレセプト記入プログラムにおいて、
コンピュータに対して、さらに
前記選択領域に入力可能な診療情報を一覧として前記診療情報入力領域に表示させるステップ、
を実行させるレセプト記入プログラム。
【請求項１７】
請求項１６に係るレセプト記入プログラムにおいて、
コンピュータに対して、さらに
前記診療情報入力領域に表示した診療情報から一又は複数の診療情報に対して入力装置による入力があったと判断すると、入力があった診療情報に関連する診療情報を入力するための関連診療情報入力領域を前記表示装置上に表示させるステップ、
を実行させるレセプト記入プログラム。
【請求項１８】
請求項１１〜１７に係るレセプト記入プログラムにおいて、
コンピュータに対して、さらに
前記診療情報入力領域に入力された診療情報を、前記レセプト記入用紙の対応する記入項目に表示させるステップ、
を実行させるレセプト記入プログラム。
【請求項１９】
請求項１１〜１８に係るレセプト記入プログラムにおいて、
コンピュータに対して、さらに
前記表示装置上に、前記レセプト記入用紙の全体のイメージを表示させるステップ、
を実行させるレセプト記入プログラム。
【請求項２０】
請求項１１〜１９に係るレセプト記入プログラムにおいて、
コンピュータに対して、さらに
前記診療情報入力領域として、前記レセプト記入用紙における前記選択領域のイメージを拡大したものを表示させるステップ、
を実行させるレセプト記入プログラム。
【請求項２１】
表示装置に表示された情報記入用紙に所定の情報を記入するため情報記入方法であって、
前記表示装置上の所望の領域を選択するための選択装置によって、前記表示装置上に表示されたレセプト記入用紙のある領域が選択領域として選択されると、入力装置によって直接的に選択領域に所定の情報を入力できるか否かを判断し、
入力装置によって直接的に入力できないと判断した場合には、前記選択領域を拡大して表示し、入力装置による直接的な入力を可能にすること、
を特徴とする情報記入方法。
【発明の詳細な説明】
【技術分野】
【０００１】
本発明は、画面上に表示されたレセプト記入用紙に診療報酬を記入するためのレセプト記入装置であって、特に、紙媒体と同じように記入できるものに関する。
【背景技術】
【０００２】
従来のレセプト記入装置の一例である医療事務システムを図１７に示す。図１７は、医療事務システムの診療行為入出力部１０１が診療行為の入出力のために表示する画面を示す。オペレータは、この画面を見ながら、キーボード等により当該画面に診療データを入力する。
【０００３】
図１７に示すように、診療行為入出力部１０１の画面は、「患者番号」「患者名」「診療日付」「診区（診療区分）」「管理コード」「診療行為」「点数×回数」からなる。これらが１個の診療データを構成し、画面上において実際に図示の位置に表示される。これらの診療データの内、「診療日付」は診療行為入出力部１により自動的に付加され、「点数×回数」は診療行為入出力部１により他の入力の内容に基づいて自動的に算出され付加される。「診療日付」及び「点数×回数」以外のデータは、オペレータが入力すべきものである。
【０００４】
【特許文献１】特開平11-272750
【発明の開示】
【発明が解決しようとする課題】
【０００５】
従来の医療事務システムには、次のような問題点がある。レセプト記入用紙は、所定の項目毎に診療報酬を記入する領域（診療報酬記入領域）が複数存在している。また、レセプト記入用紙上では、診療報酬記入領域は複雑な位置関係を形成している。
【０００６】
このような紙媒体であるレセプト記入用紙に診療報酬等を記入してきた者は、どの診療報酬をどの診療報酬記入領域に記入するのかを、レセプト記入用紙における診療報酬記入領域の位置と関連付けて記憶していることが多い。従って、単に診療報酬記入領域の項目だけを抜き出してディスプレイ上に表示したとしても、その項目にどの診療報酬を記入するのかを即座に判断することは難しい、という現実がある。
【０００７】
そこで、本発明は、これまで紙媒体であるレセプト記入用紙を利用してきた者であっても、画面上に表示されたレセプト記入用紙に診療情報を容易に記入することができるレセプト記入装置の提供を目的とする。
【課題を解決するための手段】
【０００８】
本発明に関する課題を解決するための手段および発明の効果を以下に示す。
【０００９】
本発明は、レセプト記入用紙のイメージを表示装置に表示するためのデータであるレセプト記入用紙情報を記憶するレセプト記入用紙情報記憶手段を有し、前記レセプト記入用紙情報記憶手段よりレセプト記入用紙情報を取得し、取得したレセプト記入用紙情報に基づき、表示装置上にレセプト記入用紙のイメージを表示し、前記表示装置上の所望の領域を選択するための選択装置によって、前記表示装置上に表示されたレセプト記入用紙のある領域が選択領域として選択されたと判断すると、当該選択領域に診療情報を入力するための診療情報入力領域を前記表示装置上に表示する。
【００１０】
これにより、画面上に表示されたレセプト記入用紙に診療情報を容易に入力することができる。
【００１１】
本発明は、表示装置上の領域と、診療情報入力領域を表示するためのデータとを対応付けた領域対応情報を記憶する領域対応情報記憶手段を備え、領域対応情報記憶手段に記憶された領域対応情報に基づいて、選択領域に対応する診療情報入力領域を表示する。これにより、画面上に表示されたレセプト記入用紙にしたがって、容易に診療情報を入力することができる。
【００１２】
本発明は、レセプト記入用紙の各記入項目のそれぞれを１つの領域として、各記入項目のための診療情報入力領域を表示するためのデータを各記入項目に対応付けて記録しており、レセプト記入用紙の各記入項目毎に、各記入項目のための診療情報入力領域を表示する。これにより、画面上に表示されたレセプト記入用紙の各記入項目に対して容易に診療情報を入力することができる。
【００１３】
本発明は、レセプト記入用紙の複数の記入項目をグループ化し、当該グループに対応付けて１つの診療情報入力領域を表示するためのデータを記録しており、レセプト記入用紙の記入項目のグループ毎に、当該グループに含まれる記入項目に関する診療情報を入力するための診療情報入力領域を表示する。これにより、グループ毎に画面上に表示されたレセプト記入用紙に対して容易に診療情報を入力することができる。
【００１４】
本発明は、前記記入項目と前記診療情報とを対応付ける項目対応情報を記録しており、前記診療情報の入力があると、前記項目対応情報に基づいて、前記表示装置に表示されたレセプト記入用紙のイメージ上に、入力があった診療情報に対応する記入項目に、当該診療情報を表示する。これにより、グループ化された記入項目に対応する診療情報を入力した場合、当該診療情報がどの記入項目に対応するのかを意識することなく、所定の記入項目に適切に入力することができる。
【００１５】
本発明は、前記選択領域に入力可能な診療情報を一覧として前記診療情報入力領域に表示する。これにより、診療情報入力領域に表示された診療情報を確認しながら、画面上に表示されたレセプト記入用紙に診療情報を容易に入力することができる。
【００１６】
本発明は、前記診療情報入力領域に表示した診療情報から一又は複数の診療情報に対して選択装置による入力があったと判断すると、入力があった診療情報に関連する診療情報を関連診療情報記入領域として前記表示装置上に表示する。
【００１７】
これにより、画面上に表示されたレセプト記入用紙に診療情報を入力する場合に、ある診療情報に関連して入力される診療情報も容易に入力することができる。
【００１８】
本発明は、前記診療情報入力領域に入力された診療情報を、前記レセプト記入用紙の対応する記入項目に表示する。これにより、記入済みの記入項目と未記入の記入項目と見分けながら、診療情報を容易に入力することができる。
【００１９】
本発明は、前記表示装置上に、前記レセプト記入用紙の全体のイメージを表示する。これにより、レセプト記入用紙の全体を眺めながら記入を行うことができるので、これまで紙媒体であるレセプト記入用紙を利用してきた者であっても、画面上に表示されたレセプト記入用紙に診療情報を容易に入力することができる。
【００２０】
本発明は、前記診療情報入力領域として、前記レセプト記入用紙における前記選択領域のイメージを拡大したものを表示する。これにより、画面上では入力が困難な領域であっても、容易に診療情報を入力することができる。
【００２１】
本発明は、表示装置に表示された情報記入用紙に所定の情報を記入するため情報記入方法であって、 前記表示装置上の所望の領域を選択するための選択装置によって、前記表示装置上に表示されたレセプト記入用紙のある領域が選択領域として選択されると、入力装置によって直接的に選択領域に所定の情報を入力できるか否かを判断し、入力装置によって直接的に入力できないと判断した場合には、前記選択領域を拡大して表示し、入力装置による直接的な入力を可能にする。これにより、直接的に所定の情報を入力することができない場合であっても、容易に情報を入力することができる。
【００２２】
「グループ化」とは、各記入項目に対応する領域について、複数の領域を１つの領域とすることを含む概念である。
【００２３】
ここで、請求項に記載されている要素と実施例における要素との対応関係を示す。レセプト記入装置はレセプト記入装置２１に、選択装置はキーボード２１４及びマウス２１５に、表示装置はディスプレイ２１６に、入力装置はキーボード２１４及びマウス２１５に、それぞれ対応する。
【００２４】
レセプト記入用紙情報記憶手段はハードディスク２１３に、表示手段はＣＰＵ２１１及びメモリ２１２に、診療情報入力領域表示手段はＣＰＵ２１１及びメモリ２１２に、領域対応情報記憶手段はメモリ２１２及びハードディスク２１３に、それぞれ該当する。
【００２５】
レセプト記入用紙情報はレセプト記入用紙表示データに、診療情報は位置マスタＤＢ、システム基本マスタＤＢ及びグループマスタＤＢに、領域対応情報は、位置マスタＤＢ、システム基本マスタＤＢ及びグループマスタＤＢに、項目対応情報は、システム基本マスタＤＢに、それぞれ対応する。
【００２６】
表示手段は、ステップＳ１４（図７参照）の処理を行う。診療情報入力領域表示手段は、ステップＳ１５〜Ｓ１７（図７参照）、ステップＳ８０１〜Ｓ８１３（図８参照）、ステップＳ１１０１〜Ｓ１１１７（図１０参照）、ステップＳ１３０１〜Ｓ１３１５（図１２参照）の処理を行う。
【００２７】
選択領域は図２における領域Ａ１３に、診療情報入力領域は図１１における診療報酬記入領域Ｗ１２に、関連診療情報入力領域は図１３における診療報酬記入領域Ｗ１３及び図１４における診療報酬記入領域Ｗ１５に、それぞれ、該当する。
【００２８】
なお、「プログラム」とは、直接実行可能なプログラムだけでなく、ソース形式のプログラム、圧縮処理がされたプログラム、暗号化されたプログラム等を含む概念である。また、プログラムによって実現される機能は、当該プログラム単独で実現されるのもであってもよく、他のプログラム（例えば、オペレーティング・システム）と共同して実現されるものであってもよい。
【発明を実施するための最良の形態】
【００２９】
本発明を実施するための最良の形態を以下に示す。
【実施例１】
【００３０】
1.概要
レセプト記入装置は、ハードディスクからレセプト表示データを取得し、ディスプレイ上にレセプト記入用紙の画像を表示する。レセプト記入装置は、ディスプレイ上に表示したレセプト記入用紙上のある領域がマウス等によって選択されたと判断すると、当該領域に入力可能な診療報酬を表示するための診療報酬入力処理を行う。レセプト記入装置は、選択された領域への入力が終了したと判断すると、ディスプレイ上に表示したレセプト記入用紙に、入力された診療報酬を表示する。
【００３１】
これにより、画面上に表示されたレセプト記入用紙に診療報酬を容易に記入することができる。
【００３２】
2.  ハードウェア構成
2.1.  呼出対象決定システム１のハードウェア構成
レセプト入力システム１のハードウェア構成を図１に示す。レセプト入力システム１は、レセプト記入装置２１、キーボード２１４、マウス２１５、ディスプレイ２１６、ＣＤ−ＲＯＭドライブ２１７より構成されている。
【００３３】
レセプト記入装置２１は、
キーボード２１４、マウス２１５は、レセプト記入装置２１に対して所定の入力を行う。ディスプレイ２１６は、ユーザーインターフェイス等の画像を表示する。ＣＤ−ＲＯＭドライブ２１７は、レセプト入力プログラムが記録されているＣＤ−ＲＯＭ２１９からレセプト入力プログラム及び他のＣＤ−ＲＯＭからその他のアプリケーションのプログラムを読み取る等、ＣＤ−ＲＯＭからのデータの読み取りを行う。
【００３４】
2.2.  レセプト記入装置２１のハードウェア構成
レセプト記入装置２１のハードウェア構成を図２に基づいて説明する。レセプト記入装置２１は、ＣＰＵ２１１、メモリ２１２、及びハードディスク２１３を備えている。
【００３５】
ＣＰＵ２１１は、ハードディスク２１３に記録されているオペレーティング・システム（ＯＳ）、レセプト入力プログラム等その他のアプリケーションに基づいた処理を行う。メモリ２１２は、ＣＰＵ２１１に対して作業領域を提供する。
【００３６】
ハードディスク２１３は、オペレーティング・システム（ＯＳ）、レセプト入力プログラム等その他のアプリケーション及び各種データを記録保持する。なお、ハードディスク２１３に記録されているデータについては後述する。
【００３７】
3.  データ
ハードディスク２１３はレセプト記入用紙表示データ、システム基本マスタデータベース（システム基本マスタＤＢ）、位置マスタデータベース（位置マスタＤＢ）、及びグループマスタデータベース（グループマスタＤＢ）を記録保持している。
【００３８】
3.1.  レセプト記入用紙表示データ
レセプト記入用紙表示データは、紙媒体として存在するレセプトをディスプレイ２１６上に再現表示するためのデータである。レセプト記入用紙データは、レセプト記入用紙のＪＰＥＧ画像であるレセプト記入用紙画像データとディスプレイ２１６上に表示されるレセプト記入用紙内の位置をＸ座標、Ｙ座標で示すための座標軸データとによって構成されている。この座標軸データによって、レセプト記入用紙内の各記入項目を特定することができる。
【００３９】
図３に、座標軸とレセプト記入用紙との関係の一例を示す。これにより、レセプト記入用紙内の領域を（Ｘ座標、Ｙ座標）で表すことができる。
【００４０】
3.2.  位置マスタＤＢ
位置マスタＤＢには、ディスプレイ２１６上に表示されるレセプト記入用紙の領域とその領域に対応するグループコードとが関連付けて登録されている。ここで、グループコードとは、診療報酬を診療の流れ及びレセプト記入用紙への記入が同じ枠となるものによってグループ分けし、そのグループ毎に与えた識別番号をいう。位置マスタＤＢの一例を図４に示す。位置マスタＤＢは、［レセプトクリック位置（Ｙ行）］列、［レセプトクリック位置（Ｘ行）］列、及び［グループコード］列を有している。
【００４１】
［レセプトクリック位置（Ｙ行）］列には、ディスプレイ２１６上に表示されるレセプト記入用紙に割り当てられた領域（図３参照）のＹ座標が記述される。［表示位置（Ｘ行）］列には、ディスプレイ２１６上に表示されるレセプト記入用紙に割り当てられた領域（図３参照）のＸ座標が記述される。［グループコード］列には、ディスプレイ２１６上に表示されるレセプト記入用紙に割り当てられた領域と対応するグループコードが記述される。
【００４２】
例えば、ディスプレイ２１６上に表示されるレセプト記入用紙の位置（Ｘ、Ｙ）＝（１、１）〜（５、１）までの領域がグループコード「０１０１」に対応する場合、［レセプトクリック位置（Ｙ行）］列の値「１」、［レセプトクリック位置（Ｘ行）］列の値「１」〜「５」に対応する［グループコード］列に「０１０１」が記述される。
【００４３】
3.3.  システム基本マスタＤＢ
システム基本マスタＤＢには、レセプト記入用紙に入力する診療報酬とディスプレイ２１６上に表示されるレセプト記入用紙におけるその診療報酬の入力位置とが関連付けて登録されている。システム基本マスタＤＢの一例を図５に示す。システム基本マスタＤＢは、［表示位置（Ｙ行）］列、［表示位置（Ｘ行）］列、［基本点数］列、［カルテ名称］列、及び［個別グループリンク］列を有している。
【００４４】
［表示位置（Ｙ行）］列には、ディスプレイ２１６上に表示されるレセプトの入力位置のＹ座標が記述される。［表示位置（Ｘ行）］列には、ディスプレイ２１６上に表示されるレセプトの入力位置のＸ座標が記述される。［基本点数］列には、診療報酬に対応する診療点数が記述される。［カルテ名称］列には、診療報酬の名称が記述される。［個別グループリンク］列には、診療報酬に関連して入力される他の診療報酬に関するグループコードが記述される。詳しくは後述する。
【００４５】
例えば、カルテ名称「初診料」は、レセプトにおける基本点数が「１８０」点であり、グループコード「１０１０」に属するものとする。この場合、図１に示すように、システム基本マスタＤＢの［カルテ名称］列の値「初診料」に対応する値として、［グループコード］列に「１０１０」が、［基本点数］列に「１８０」が、［点数表示位置（Ｙ行）］列に「１」が、［点数表示位置（Ｘ行）］列に「４」が、それぞれ記述される。なお、「初診料」には関連して入力される他のグループが存在しないことから、［個別リンク］列には「（なし）」が記述される。
【００４６】
3.4.  グループマスタＤＢ
グループマスタＤＢには、診療報酬をグループ分けしたグループコードとそのグループの名称とが関連付けて登録されている。グループマスタＤＢの一例を図６に示す。グループマスタＤＢは、［グループコード］列、［グループ名称］列、及び［グループリンク］列を有している。
【００４７】
［グループコード］列には、グループコードが記述される。［グループ名称］列には、各グループに与えられる名称が記述される。［グループリンク］列には、各グループに関連する他のグループのグループコードが記述される。詳しくは後述する。
【００４８】
例えば、グループコード「０１０１」に「初診料」というグループ名を与えるとすると、図５に示すように、グループマスタＤＢの［グループコード］列に「０１０１」が、対応する［グループ名称］列に「初診料」が、それぞれ記述される。なお、「初診料」には関連して入力される他のグループが存在しないことから、［グループリンク］列には「（なし）」が記述される。
【００４９】
また、グループコード「０７０３」に「ＰＺ（歯冠形成料）」というグループ名を与えるとすると、図５に示すように、グループマスタＤＢの［グループコード］列に「０１０１」が、それぞれ記述される。なお、「ＰＺ（歯冠形成料）」には関連して入力される他のグループ［グループコード］「０７０５」、［グループ名称］「印象・ＢＴ」が存在することから、［グループリンク］列に「０７０５」が記述される。
【００５０】
4.  レセプト記入装置２１の動作
4.1.  動作の概要
レセプト記入装置２１の動作の概要を図７を用いて説明する。レセプト記入装置２１のＣＰＵ２１１は、キーボード２１４、マウス２１５等からレセプト記入プログラムの起動命令を取得したと判断すると（Ｓ１１）、レセプト記入プログラムの起動処理を行う（Ｓ１２）。次に、ＣＰＵ２１１は、レセプト記入用紙への記入処理の開始命令を取得したと判断すると（Ｓ１３）、ハードディスク２１３からレセプト表示データを取得し、ディスプレイ２１６上にレセプト記入用紙の画像を表示する（Ｓ１４）。
【００５１】
ＣＰＵ２１１は、ディスプレイ２１６上に表示したレセプト記入用紙上のある領域がマウス２１５等によって選択されたと判断すると（Ｓ１５）、当該領域に入力可能な診療報酬を表示するための診療報酬入力処理を行う（Ｓ１６）。ＣＰＵ２１１は、選択された領域への入力が終了したと判断すると（Ｓ１７）、ディスプレイ２１６上に表示したレセプト記入用紙に、入力された診療報酬を表示する（Ｓ１８）。診療報酬の入力が終了したと判断すると、レセプト記入処理を終了する（Ｓ１９）。
【００５２】
以下において、レセプト記入プログラムの起動処理（Ｓ１２）及び診療報酬入力処理（Ｓ１６）について詳述する。
【００５３】
4.1.1  レセプト記入プログラムの起動処理
レセプト記入装置２１におけるレセプト記入プログラムの起動処理を図８を用いて説明する。レセプト記入装置２１のＣＰＵ２１１は、キーボード２１４、マウス２１５等からレセプト記入プログラムの起動命令を取得したと判断すると、ハードディスク２１３から位置マスタＤＢ（図４参照）を取得し（Ｓ８０１）、位置マスタコレクションとしてメモリ２１２へ記憶する（Ｓ８０２）。次に、ＣＰＵ２１１は、ハードディスク２１３からグループマスタＤＢ（図６参照）を取得し（Ｓ８０３）、グループ情報コレクションとしてメモリ２１２へ記憶する（Ｓ８０４）。
【００５４】
ＣＰＵ２１１は、ハードディスク２１３のシステム基本マスタＤＢ（図５参照）から、１組の［表示位置（Ｙ行）］列、［表示位置（Ｘ行）］列、［基本点数］列、［カルテ名称］列、及び［個別グループリンク］列の値を取得する（Ｓ８０５）。取得した［表示位置（Ｙ行）］列及び［表示位置（Ｘ行）］列の値を検索キーとして、位置マスタコレクション（即ち、位置マスタＤＢ）の［レセプトクリック位置（Ｙ行）］列及び［レセプトクリック位置（Ｘ行）］列を検索する（Ｓ８０７）。そしてＣＰＵ２１１は、対応する［グループコード］列の値を取得する（Ｓ８０９）。ＣＰＵ２１１は、ステップＳ８０５で取得したシステム基本マスタＤＢの値を、ステップＳ８０９で取得したグループコードに関するグループコレクションとして、メモリ２１２へ記憶する（Ｓ８１１）。ＣＰＵ２１１は、ハードディスク２１３に記憶しているシステム基本マスタＤＢに関してまだ取得していないデータがあれば、ステップＳ８０５〜Ｓ８１１までの処理を繰り返す（Ｓ８１３）。
【００５５】
このようなステップＳ８０１〜ステップＳ８１３までのレセプト記入プログラムの起動処理が終了した段階では、メモリ２１２には位置マスタコレクション及び各グループコード毎のグループマスタが記憶されていることになる。
【００５６】
ここで、グループコレクションの生成について、図５におけるシステム基本マスタＤＢの１行目「初診料」に関するデータを例に説明する。ＣＰＵ２１１は、「初診料」に関するデータとして［表示位置（Ｙ行）］列の値「１」、［表示位置（Ｘ行）］列の値「４」、［基本点数］列の値「１８０」、［カルテ名称］列の値「初診料」、及び［個別グループリンク］列の値「（なし）」を取得する。そして、ＣＰＵ２１１は、［表示位置（Ｙ行）］列の値「１」、［表示位置（Ｘ行）］列の値「４」を検索キーとしてメモリ２１２に記憶している位置マスタコレクション（位置マスタＤＢ）の［レセプトクリック位置（Ｙ行）］列及び［レセプトクリック位置（Ｘ行）］列を検索する。図４に示すように、［レセプトクリック位置（Ｙ行）］列の値「１」、［レセプトクリック位置（Ｘ行）］列の値「４」に対応する［グループコード］列の値は「０１０１」である。ＣＰＵ２１１は、「初診料」に関するデータをグループコード「０１０１」のグループコレクションに属するものとして記憶する。
【００５７】
次に、ＣＰＵ２１１は、システム基本マスタＤＢから２行目「初診料時間外加算」に関するデータとして［表示位置（Ｙ行）］列の値「１」、［表示位置（Ｘ行）］列の値「８」、［基本点数］列の値「８５」、［カルテ名称］列の値「初診料時間外加算」、及び［個別グループリンク］列の値「（なし）」を取得する。そして、ＣＰＵ２１１は、初診料の場合と同様にして、初診料時間外加算に関するデータをグループコード「０１０１」のグループコレクションに記憶する。他のデータについても同様である。
【００５８】
このようにしてメモリ２１２に記憶したグループコード「０１０１」に関するグループコレクションの一例を図９に示す。
【００５９】
4.1.2  診療報酬入力処理
レセプト記入装置２１における診療報酬入力処理を図１０を用いて説明する。レセプト記入装置２１のＣＰＵ２１１は、キーボード２１４、マウス２１５等によってディスプレイ２１６上に表示したレセプト記入用紙のある領域が選択されたと判断すると、選択された領域のレセプト記入用紙における位置（Ｘ座標、Ｙ座標）を取得する（Ｓ１１０１）。ＣＰＵ２１１は取得した選択領域の［Ｙ座標］の値及び［Ｘ座標］の値を検索キーとして、メモリ２１２に記憶している位置マスタコレクションの［レセプトクリック位置（Ｙ行）］列及び［レセプトクリック位置（Ｘ行）］列を検索し（Ｓ１１０３）、対応する［グループコード］列の値を取得する（Ｓ１１０５）。ＣＰＵ２１１は、ステップＳ１１０５で取得した「グループコード」列の値に対応するグループコレクションの［点数］列の値、及び［カルテ名称］列の値をメモリ２１２から取得する（Ｓ１１０７）。また、ＣＰＵ２１１は、グループ情報コレクションからステップＳ１１０５で取得した「グループコード」列の値に対応する［グループ名称］列の値を取得する（Ｓ１１０９）。ＣＰＵ２１１は、ステップＳ１１０７で取得したグループコレクションの［点数］列の値、［カルテ名称］列の値、ステップＳ１１０９で取得した［グループ名称］列の値により、診療報酬記入領域を生成する（Ｓ１１１１）。診療報酬記入領域には、診療報酬毎に回数を入力するための回数入力欄が設けられている。ＣＰＵ２１１は、生成した診療報酬記入領域を、ディスプレイ２１６に表示されているレセプト記入用紙の画像上の所定の位置に、レセプト記入用紙の画像に当該重ねて表示する（Ｓ１１１３）。
【００６０】
例えば、レセプト記入用紙（図２、４参照）の初診料欄（Ｘ座標、Ｙ座標）＝（４、１）が選択領域として選択された場合を説明する。ＣＰＵ２１１は、初診料欄の位置（Ｘ座標、Ｙ座標）＝（４、１）を取得すると、［Ｙ座標］の値「１」、［Ｘ座標］の値「４」を検索キーとして、位置マスタコレクションの［レセプトクリック位置（Ｙ行）］列、［レセプトクリック位置（Ｘ行）］列を検索し、対応する［グループコード］列の値「０１０１」を取得する。ＣＰＵ２１１は、取得した「グループコード」列の値「０１０１」に対応するグループコレクションから、［点数］列の値及び［カルテ名称］列の値を取得する。また、ＣＰＵ２１１は、グループ情報コレクションから、「グループコード」列の値「０１０１」に対応する［グループ名称］列の値「初診料」を取得する。ＣＰＵ２１１は、グループコード「０１０１」のグループコレクションの［点数］列の値及び［カルテ名称］列の値、グループ情報コレクションの［グループ名称］の値「初診料」、及び診療報酬毎の回数表示欄により診療報酬記入領域を生成する。ＣＰＵ２１１は、生成した診療報酬記入領域を、ディスプレイ２１６に表示されているレセプト記入用紙の画像上に重ねて表示する。「初診料」に関して生成された診療報酬記入領域Ｗ１２がディスプレイ２１６に表示されているレセプト記入用紙Ｐ１に重ねて表示されている状態を図１１に示す。
【００６１】
図１２を用いて、ＣＰＵ２１１の動作の続きを用いて説明する。ＣＰＵ２１１は、表示した診療報酬記入領域に対して回数の入力が終了したと判断すると（Ｓ１３０１）、ステップＳ１１０７〜Ｓ１１１３までの処理が個別リンクに関する処理であったか否かを判断する（Ｓ１３０３）。ＣＰＵ２１１は、ステップＳ１３０３において、個別リンクに関する処理でないと判断すると、ステップＳ１１０７〜Ｓ１１１３までの処理がグループリンクに関する処理であったか否かを判断する（Ｓ１３０５）。ＣＰＵ２１１は、ステップＳ１３０５において、個別リンクに関する処理でないと判断すると、入力があった診療報酬の［カルテ名称］列の値を取得する（Ｓ１３０７）。そして、ＣＰＵ２１１は、取得した［カルテ名称］列の値を検索キーとして、グループコレクションの［カルテ名称］列を検索し（Ｓ１３０９）、対応する［個別リンク］列の値を取得する（Ｓ１３１１）。ＣＰＵ２１１は、［個別リンク］列に値が存在していると判断すると（Ｓ１３１１）、当該［個別リンク］列の値対応するグループコレクションに対して、ステップＳ１１０９〜Ｓ１１１３（図１０参照）、ステップＳ１３０１〜Ｓ１３１１までの処理を繰り返す。これにより、ＣＰＵ２１１は、ステップＳ１１１１において、個別リンクに関する関連診療報酬記入領域を生成する。
【００６２】
ＣＰＵ２１１は入力のあった診療報酬の全てに対して、ステップＳ１１０９〜Ｓ１１１３（図１０参照）、ステップＳ１３０１〜Ｓ１３１３までの処理を終了したと判断すると（Ｓ１３１５）、グループマスタコレクションから、ステップＳ１１０５で取得した［グループコード］列の値に対応する［グループリンク］列の値を取得する（Ｓ１３１７）。ＣＰＵ２１１は、［グループリンク］列に値が存在していると判断すると（Ｓ１３１９）、取得した［グループリンク］列の値に対応するグループコレクションに対して、ステップＳ１１０７〜Ｓ１１１３（図１参照）、ステップＳ１３０１〜Ｓ１３０５までの処理を繰り返す。これにより、ＣＰＵ２１１は、ステップＳ１１１１において、グループリンクに関する関連診療報酬記入領域を生成する。
【００６３】
ＣＰＵ２１１は、ステップＳ１３０３において個別リンクに関する処理であると判断すると、ステップＳ１３１５まで飛び、入力のあった診療報酬の全てに対して、ステップＳ１１０９〜Ｓ１１１３（図１０参照）、ステップＳ１３０１〜Ｓ１３１３までの処理を終了したか否かを判断する（Ｓ１３１５）。また、ＣＰＵ２１１は、ステップＳ１３０３において、グループリンクに関する処理であると判断すると、そのまま記入処理を終了する。このように、本実施例においては、個別リンク、グループリンクともに、１回のみ表示するようにしている。処理が複雑になり負荷がかかり、また、リンクがループとなり処理が終了しなくなる可能性があるからである。
【００６４】
ＣＰＵ２１１は、ステップＳ１１１７において［グループリンク］列の値が存在しないと判断すると、ステップＳ１１１５、Ｓ１１７の処理は省略し、次のステップＳ１８へ移動する。
【００６５】
例えば、図２における領域Ａ１３が選択さると、領域Ａ１３に対応するグループ名称「ＰＺ（歯冠形成料）」に冠するデータが診療報酬記入領域に表示される。ここで、カルテ名称「生ＰＺ」、「生ＰＺ（ジャケット冠）」に対して回数「１」が入力されたとする。この状態におけるディスプレイ２１６の状態を図１３に示す。図１３には、レセプト記入用紙Ｐ１及び診療報酬記入領域Ｗ１３が表示されている。診療報酬記入領域Ｗ１３は、グループ名称「ＰＺ（歯冠形成料）」に関するデータが表示されている。
【００６６】
ＣＰＵ２１１は、ボタンＢ１が選択され回数の入力が終了したと判断すると、診療報酬記入領域Ｗ１３が個別リンクに関して表示されたものであるか否かを判断する。この例では、領域Ａ１３が選択された後、最初に診療報酬記入領域として診療報酬記入領域Ｗ１３が表示されているので、診療報酬記入領域Ｗ１３は、個別リンクに関して表示されたものではない。したがって、ＣＰＵ２１１は、個別リンクに関して表示されたものではないと判断する。
【００６７】
次に、ＣＰＵ２１１は、診療報酬記入領域Ｗ１３がグループリンクに関して表示されたものであるか否かを判断する。個別リンクの場合と同様に、診療報酬記入領域Ｗ１３は、グループリンクに関して表示されたものではない。よって、ＣＰＵ２１１は、入力があった診療報酬の［カルテ名称］列の値「生ＰＺ」及び「生ＰＺ（ジャケット冠）」を取得する。そして、ＣＰＵ２１１は、取得した［カルテ名称］列の値「生ＰＺ」及び「生ＰＺ（ジャケット冠）」を検索キーとして、グループコレクションの［カルテ名称］列を検索し、対応する［個別リンク］列の値を取得する。
【００６８】
グループコレクションはシステム基本マスタＤＢのデータにより構成されているので、図５のシステム基本マスタＤＢを参考すると、［カルテ名称］列の値「生ＰＺ」に対応する個別リンクは設定されていない。したがって、ＣＰＵ２１１は、［カルテ名称］列の値「生ＰＺ」に関しては、［個別リンク］列に値が存在しないと判断し、個別リンクに関する処理は行わない。次に、ＣＰＵ２１１は、［カルテ名称列］の値「生ＰＺ（ジャケット冠）」に関して個別リンクに関する処理を行う。［カルテ名称列］の値「生ＰＺ（ジャケット冠）」に関しても同様に個別リンクは設定されていない。したがって、ＣＰＵ２１１は、これで個別リンクに関する処理を終了する。
【００６９】
次に、ＣＰＵ２１１は、グループ名称「ＰＺ（歯冠形成料）」、グループコード「０７０３」（図６参照）に対応する［グループリンク］列の値「０７０５」をグループコレクションから取得する。ＣＰＵ２１１は、取得した［グループリンク］列の値「０７０５」に対応するグループコレクションに基づいて関連診療報酬記入領域を生成し、ディスプレイ２１６に表示する。
【００７０】
図６に示すように、グループコード「０７０５」はグループ名称「印象・ＢＴ」である。このグループ名称「印象・ＢＴ」、グループコード「０７０５」に関する診療報酬記入領域が表示された状態を図１４に示す。図１４には、レセプト記入用紙Ｐ１及び診療報酬記入領域Ｗ１５が表示されている。診療報酬記入領域Ｗ１５は、グループ名称「印象・ＢＴ」に関するデータが表示されている。
【００７１】
ＣＰＵ２１１は、診療報酬記入領域への入力が終了したと判断すると、入力された回数に基づき、点数をディスプレイ２１６上に表示されているレセプト記入用紙の選択された選択領域に表示する（Ｓ１８：図７参照）。また、ＣＰＵ２１１は、入力されたカルテ名称に基づき、当該カルテ名称をレセプト記入用紙に記入するためのレセプト名称に変換してレセプト記入用紙の選択された選択領域に表示する（Ｓ１８：図７参照）。ディスプレイ２１６上に表示されたレセプト記入用紙に点数が表示された状態を図１５に示す。
【００７２】
［その他の実施例］
前述の実施例１においては、画面上に表示されたレセプト記入用紙の所定の領域を選択領域として選択すると、当該選択領域及び関連する記入領域に記入可能な診療報酬の一覧を表示した診療報酬記入領域を表示し、診療報酬の記入を容易とする構成とした。しかし、診療報酬記入領域として、診療報酬をキーボード２１４等の入力装置を利用して直接、診療報酬に対する点数、数量等を記入できるようにしてもよい。
【００７３】
また、ディスプレイ２１６上に、図１６Ａに示すような記入用紙が表示されている場合、記入領域４、５には直接的に入力するのに十分な領域が確保されているが、記入領域１〜３には直接的に入力できる領域が確保されていない場合がある。この場合、記入領域１〜３が選択領域と選択された場合には、診療報酬をキーボード２１４等の入力装置を利用して直接的に入力できるように、図１６Ｂに示すように、記入領域１等を拡大して表示するようにしてもよい。
【００７４】
さらに、前述の実施例１においては、診療報酬記入領域に回数を記入する回数記入欄を表示するようにしたが、当該回数記入欄に、これまでの患者の診療記録から求められる回数を記述して、表示するようにしてもよい。この場合、予め患者毎に診療記録を記録しておき、診療報酬記入領域及び関連診療報酬記入領域を表示する際に、前記診療記録からレセプトに係る患者の診療報酬を取得するようにすればよい。
【００７５】
さらに、前述の実施例１においては、診療報酬記入領域が表示された後、当該診療報酬記入領域に変わって関連診療報酬記入領域が表示されるようにしたが、診療報酬記入領域と関連診療報酬記入領域とが同時に表示されるようにしてもよい。
【００７６】
さらに、前述の実施例１においては、個別リンク、グループリンクの数は１つとしたが、複数あってもよい。
【００７７】
さらに、前述の実施例１においては、図５に示すカルテ名称「初診料」、「初診料時間外加算」、「初診料休日加算」等のデータが、図４に示すように１つのグループ（グループ名称「初診料」、グループコード「０１０１」）に対応付けられている。つまり、図２におけるレセプト記入用紙の記入項目「初診料」、「初診料時間外加算」、「初診料休日加算」等が１つのグループ「初診料」に対応付けられているが、各記入項目毎に１つのグループを対応付けるようにしてもよい。この場合、記入項目「初診料」にはグループ「初診料」を、記入項目「初診料時間外加算」にはグループ「初診料時間外加算」を、・・・それぞれ対応付けるようにすればよい。
【００７８】
さらに、前述の実施例１においては、ある診療情報に関連する診療情報を示すために個別リンク、グループリンクを設定した。この個別リンク等の設定あたっては、マウス２１５等の選択手段によって回数等の入力が行えるものを個別リンク、グループリンクとして設定し、さらに、キーボード２１４等の入力装置による入力が必要なものを補助リンクとして設定するようにしてもよい。
【００７９】
さらに、前述の実施例１においては、システム基本マスタＤＢ、グループコレクション等においてカルテ名称に対応したマスターコードを付与し、カルテ名称に基づいて行われている検索処理等をマスターコードに基づいて行うようにしてもよい。
【００８０】
さらに、前述の実施例１においては、情報を記入する情報記入用紙としてレセプト記入用紙を例示したが、情報を入力するものであれば、これに限定されない。
【図面の簡単な説明】
【００８１】
【図１】レセプト記入装置２１のハードウェア構成を示した図である。
【図２】レセプト記入用紙の一例を示した図である。
【図３】レセプト記入用紙上の位置関係を示した図である。
【図４】位置マスタＤＢの一例を示した図である。
【図５】システム基本マスタＤＢの一例を示した図である。
【図６】グループマスタＤＢの一例を示した図である。
【図７】レセプト記入装置２１の動作の概要を示したフローチャートである。
【図８】レセプト記入装置２１の動作の詳細を示したフローチャートである。
【図９】グループコレクションの一例を示した図である。
【図１０】レセプト記入装置２１の動作の詳細を示したフローチャートである。
【図１１】診療報酬記入領域Ｗ１２が表示された状態を示す図である。
【図１２】レセプト記入装置２１の動作の詳細を示したフローチャートである。
【図１３】診療報酬記入領域Ｗ１３が表示された状態を示す図である。
【図１４】診療報酬記入領域Ｗ１５が表示された状態を示す図である。
【図１５】画面上のレセプト記入用紙に診療報酬が記入された状態を示す図である。
【図１６】その他の実施例を説明するための図である。
【図１７】従来技術を説明するための図である。
【符号の説明】
【００８２】
１・・・・・レセプト記入システム
２１・・・・・レセプト記入装置
２１４・・・・・キーボード呼出しボタン
２１５・・・・・マウス
２１６・・・・・ディスプレイ
【図１】
2005242473.tif 000003
【図２】
2005242473.tif 000004
【図３】
2005242473.tif 000005
【図４】
2005242473.tif 000006
【図５】
2005242473.tif 000007
【図６】
2005242473.tif 000008
【図７】
2005242473.tif 000009
【図８】
2005242473.tif 000010
【図９】
2005242473.tif 000011
【図１０】
2005242473.tif 000012
【図１１】
2005242473.tif 000013
【図１２】
2005242473.tif 000014
【図１３】
2005242473.tif 000015
【図１４】
2005242473.tif 000016
【図１５】
2005242473.tif 000017
【図１６】
2005242473.tif 000018
【図１７】
2005242473.tif 000019